(57)【要約】    映像処理部（１５０）における絞り制御部（１５５）は、入力される映像信号の明るさを示す情報に応じて出力する光量を、絞り（１２１）を用いて制限する。その際に、絞り制御部（１５５）は、映像信号に基づいて表示される画像において、予め定められる明るさより明るい領域が予め定められる広さより広いことを、映像信号の明るさの分布と明るい領域に含まれる画素の数に基づいて判定した場合に、絞り（１２１）の開度を高める調整を行う。
2011004501.tif 000002
【特許請求の範囲】
【請求項１】
入力される映像信号の明るさを示す情報に応じて出力する光量を、絞り部を用いて制限する際に、前記映像信号に基づいて表示される画像において、予め定められる明るさより明るい領域が予め定められる広さより広いことを、前記映像信号の明るさの分布と前記明るい領域に含まれる画素の数に基づいて判定した場合に、前記絞り部の開度を高める調整を行う制御部
を備えることを特徴とする絞り制御回路。
【請求項２】
前記該制御部は、
前記入力される映像信号によって示される領域に対して、前記明るさが予め定められる閾値以上となる領域の占める割合が、予め定められる値より大きな値を示す場合に前記絞り部の開度を高める調整を行う
ことを特徴とする請求項１に絞り制御回路。
【請求項３】
前記制御部は、
前記割合が、予め定められる値より大きな値を示す場合に前記絞り部を開放させる調整を行う
ことを特徴とする請求項１又は請求項２に記載の絞り制御回路。
【請求項４】
前記制御部は、
前記絞り部に対し、前記映像信号の明るさの分布をヒストグラムで示し、該ヒストグラムのピークの値に対応付けられた前記絞り部の開度に調整する
ことを特徴とする請求項１から請求項３のいずれかに記載の絞り制御回路。
【請求項５】
前記制御部は、
前記絞り部に対し、前記ヒストグラムと前記絞り部の開度を対応付ける対応テーブルを設定し、前記ヒストグラムのピーク値に対応する前記絞り部の開度に調整する
ことを特徴とする請求項１から請求項４のいずれかに記載の絞り制御回路。
【請求項６】
前記該制御部は、
前記入力される映像信号に対応する全画素に対して、前記明るさが予め定められる閾値以上となる画素が占める割合が、予め定められる値より大きな値を示す場合に前記絞り部の開度を高める調整を行う
ことを特徴とする請求項１に絞り制御回路。
【請求項７】
前記該制御部は、
前記入力される映像信号に対応する全画素に対して、前記明るさが予め定められる閾値以上となる画素の数が予め定められる値より大きな値を示す場合に前記絞り部の開度を高める調整を行う
ことを特徴とする請求項１に絞り制御回路。
【請求項８】
入力される映像信号の明るさを示す情報に応じて出力する光量を、絞り部を用いて制限する際に、前記映像信号に基づいて表示される画像において、予め定められる明るさより明るい領域が、予め定められる広さより広いことを、前記映像信号の明るさの分布と前記明るい領域に含まれる画素の数に基づいて判定した場合に、前記絞り部の開度を高める調整を行う制御部
を備えることを特徴とするプロジェクター装置。
【請求項９】
入力される映像信号の明るさを示す情報に応じて出力する光量を、絞り部を用いて制限する際に、前記映像信号に基づいて表示される画像において、予め定められる明るさより明るい領域が、予め定められる広さより広いことを、前記映像信号の明るさの分布と前記明るい領域に含まれる画素の数に基づいて判定した場合に、前記絞り部の開度高める調整を行う手順
をコンピュータに実行させることを特徴とする絞り制御プログラム。
【請求項１０】
入力される映像信号の明るさを示す情報に応じて出力する光量を、絞り部を用いて制限する際に、前記映像信号に基づいて表示される画像において、予め定められる明るさより明るい領域が、予め定められる広さより広いことを、前記映像信号の明るさの分布と前記明るい領域に含まれる画素の数に基づいて判定した場合に、前記絞り部の開度を高める調整を行う過程
を含むことを特徴とする絞り制御方法。
【発明の詳細な説明】
【技術分野】
【０００１】
本発明は、入力される映像信号に応じて出力する光量を制御する絞り制御回路、プロジェクター装置、絞り制御プログラム及び絞り制御方法に関する。
【背景技術】
【０００２】
プロジェクター装置では、光源からの光量について入力された映像信号に応じて光変調素子を用いて変調し、出力する光量を変化させて映像信号に基づいた画像を表示する。光変調素子による光の変調率だけでは、必要とされるコントラスト比を確保しにくい。不足する光の変調率を補ってコントラスト比を高めるために、光変調素子に入力する光量、或いは、光変調素子から出力される光量を制御する技術がある。光量の制御は、レンズと絞りを組み合わせた光学系と、その絞りの開口率を調整する制御部とにより実現する（例えば、特許文献１参照）。
【先行技術文献】
【特許文献】
【０００３】
【特許文献１】特開２００５−０９９２９９号公報
【発明の概要】
【発明が解決しようとする課題】
【０００４】
しかしながら、特許文献１による技術では、入力される映像信号に応じて出力する光量を調整しているが、入力される映像信号の判定は、ピークレベル、平均レベルなどを用いることが示されている。仮に、黒を背景に中央に白い像を含んだ画像を出力する場合を想定する。ピークレベルを判定条件にすると、一部でも白の領域があると、白の領域の面積によらず、光量を制限せずに出力することになり、黒の領域の輝度が高くなる。このように、ピークレベルを判定条件にすると、白の領域の面積が狭い場合には、コントラストが低下した画像になる。
また、平均レベルを判定条件にすると、白の領域の面積に応じて光量が変化する。つまり、白の領域の面積が少なくなると、白の領域の面積に応じて光量が少なくなり、黒の領域の輝度を下げることができるが、白の領域の輝度も極端に低下しコントラストの低下した画像になる。このように、平均レベルを判定条件にすると、輝度差の開きが大きな像では、面積の変化で背景及び像の明るさが変化することになる。ピークレベルや平均レベルを判定条件にした判定では、映像信号を適正に判定することができず、光量を適正な値に確保することができず、画質が低下するという問題がある。【０００５】
本発明は、上記問題を解決すべくなされたもので、その目的は、入力される映像信号に対応させて、出力される光量の適正値を確保する絞り制御回路、プロジェクター装置、絞り制御プログラム及び絞り制御方法を提供することにある。
【課題を解決するための手段】
【０００６】
上記問題を解決するために、本発明は、入力される映像信号の明るさを示す情報に応じて出力する光量を、絞り部を用いて制限する際に、前記映像信号に基づいて表示される画像において、予め定められる明るさより明るい領域が予め定められる広さより広いことを、前記映像信号の明るさの分布と前記明るい領域に含まれる画素の数に基づいて判定した場合に、前記絞り部の開度を高める調整を行う制御部を備えることを特徴とする絞り制御回路である。
【発明の効果】
【０００７】
また、本発明によれば、絞り制御回路は、制御部が、入力される映像信号の明るさを示す情報に応じて出力する光量を、絞り部を用いて制限する。その際に、制御部は、映像信号に基づいて表示される画像において、予め定められる明るさより明るい領域が予め定められる広さより広いことを、映像信号の明るさの分布と明るい領域に含まれる画素の数に基づいて判定した場合に、絞り部の開度を高める調整を行う。
これにより、絞り制御回路は、映像信号に基づいて表示される画像において、予め定められる明るさより明るい領域が、予め定められる広さより広い場合に、制御部が、絞り部の開度を開放側に調整することから、入力される映像信号に対応させて、出力される光量の適正値を確保することができる。
【図面の簡単な説明】
【０００８】
【図１】本実施形態によるプロジェクター装置の概略ブロック図である。
【図２】同実施形態におけるプロジェクター装置において出力する光量を制御する制御系のブロック図である。
【図３】同実施形態におけるヒストグラム解析結果をグラフ化して示す図である。
【図４】同実施形態における図３と異なる画像についてヒストグラム解析を行った結果を示す図である。
【図５】同実施形態における輝度ピークに応じた絞り位置を示す絞り位置テーブルを示す図である。
【図６】同実施形態における輝度変化の大きな画像の例を示す図である。
【図７】同実施形態における図６に示した図に対しヒストグラム処理をした結果のヒストグラムを示す図である。
【発明を実施するための形態】
【０００９】
以下、本発明の一実施形態によるプロジェクター装置について図面を参照して説明する。
図１は、本実施形態によるプロジェクター装置の概略ブロック図である。
プロジェクター装置１００は、接続される映像出力装置２００から映像信号が入力され、この入力される映像信号に基づいて、出力する光の強度を変調して出力する。
この図に示されるプロジェクター装置１００は、光源１１０、絞りユニット１２０、空間光変調器１３０、プロジェクションレンズ１４０、映像処理部１５０及び絞り駆動部１６０を備える。
【００１０】
光源１１０は、プロジェクター装置１００から投射する光を出力する光源であり、例えばランプやＬＥＤ（Light Emitting Diode）などである。絞りユニット１２０は、光源１１０から出力される光の光路の一部を遮蔽して光源からの光量を調整する。絞りユニット１２０は、光路を遮蔽する範囲を段階的に設定することが可能であり、本実施形態では１００段階の設定が可能であり、その設定に応じて、出力される光量を調整することが可能である。空間光変調器１３０は、光源１１０から出力される光に対して光量や偏光などを調整して、出力する光の強度を入力された映像信号で変調する。空間光変調器１３０を構成する光素子の例としては液晶表示素子やデジタルミラーデバイス（ＤＭＤ）などがある。プロジェクションレンズ１４０は、出力する光による投射画像を、スクリーンに結像させるためのレンズを含む部材である。
【００１１】
映像処理部１５０は、映像出力装置２００から入力される映像信号に基づいて、絞りユニット１２０における光路を遮蔽する範囲を制御して、絞りユニット１２０に光の遮蔽量の調整を行わせると共に、空間光変調器１３０における光の強度変調を制御して、空間光変調器１３０に画像を形成する光の強度変調の調整を行わせる。
絞り駆動部１６０は、映像処理部１５０から出力されるモーター制御信号に応じて、絞りユニット１２０のモーター１２２を駆動させる駆動信号を出力する。
【００１２】
図２は、プロジェクター装置から出力される光量を制御する制御系のブロック図である。
この図に示されるプロジェクター装置１００は、出力する光量を制御する制御系として、絞りユニット１２０、空間光変調器１３０、映像処理部１５０及び絞り駆動部１６０を備える。図１と同じ構成には同じ符号を付す。
【００１３】
絞りユニット１２０は、絞り１２１及びモーター１２２を備える。
絞り１２１は、光源１１０（図１）から出力される光を調整する「絞り」の本体部である。絞り１２１は、モーター１２２の軸と機械的に連動する複数の可動羽からなり、モーター１２２の回転に応じて可動羽が作動し、絞り位置に対応した絞りの開度（開口率）が定められる。
モーター１２２は、絞り１２１の絞りの開度を制御する。モーター１２２は、絞り駆動部１６０から入力される制御量に応じて駆動され、その回転軸の回転が伝達されて絞り１２１の可動羽が作動して絞り１２１の開度が調整される。また、モーター１２２は絞り１２１の開度を示す絞り位置に対応するモーター回転位置を記憶しているものとする。
【００１４】
プロジェクター装置１００における映像処理部１５０は、スケーリング処理部１５１、空間光変調器駆動処理部１５２、ヒストグラム取得部１５３、メモリ部１５４及び絞り制御部１５５を備える。
映像処理部１５０において、スケーリング処理部１５１は、入力される映像信号の解像度に応じて内部処理に必要な解像度の信号に変換する処理を行う。スケーリング処理部１５１は、入力される映像信号のタイミングに同期する同期信号を生成し、その同期信号にしたがって入力された映像信号のサンプリング処理をその同期信号にしたがって行う。スケーリング処理部１５１は、そのサンプリングされた情報に基づいて、予め定められた解像度に変換するスケーリング変換を行う。
空間光変調器駆動処理部１５２は、スケーリング処理部１５１によって変換された信号に基づいて、空間光変調器１３０を構成する液晶表示素子（或いは、ＤＭＤ）を駆動する信号を出力する。
【００１５】
ヒストグラム取得部１５３は、映像出力装置２００から入力される映像信号の明るさに応じて生成したヒストグラムを取得する。映像信号の明るさは、輝度レベルで表され、離散値に変換されたデジタル信号では、その階調値として示される。
ヒストグラム取得部１５３におけるヒストグラム解析は、画像の１フィールド単位にて輝度レベルの分布を取得するものである。本実施形態に示す例では、ヒストグラム取得部１５３は、輝度レベルを１６分割して解析を行い、輝度レベルに応じて分類されたヒストグラムからヒストグラム情報としてＨ０からＨ１５までの値（図３）を取得する。ヒストグラム取得部１５３は、得られたヒストグラム情報を絞り制御部１５５に出力する。
メモリ部１５４は、変換処理で参照するテーブルの情報や判定処理で基準とする閾値情報などの予め定めたデータを格納し、また、演算処理などで参照する変数を一時的に格納する記憶領域が配置される記憶部である。また、メモリ部１５４は、絞り制御部１５５に含まれるコンピュータを動作させるプログラムを記憶する。
絞り制御部１５５は、ヒストグラム取得部１５３からヒストグラム情報を取得し、メモリ部１５４に格納してあるデータを参照して、絞り駆動部１６０にモーター制御信号を出力し、プロジェクター装置１００の各部を制御する。また、絞り制御部１５５は、絞り駆動部１６０から入力されるモーター回転位置の情報から、その状態における絞り１２１の絞り位置を取得する。
【００１６】
絞り駆動部１６０は、絞り制御部１５５から出力されるモーター制御信号を受け、モーター１２２の回転方向及び回転速度を制御する。また、絞り駆動部１６０は、モーター１２２が記憶する、絞り１２１の絞り位置を参照するためのモーター回転位置を参照し、絞り制御部１５５に入力する。
【００１７】
図を参照し、本実施形態の絞り１２１の制御方法について説明する。
まず、本実施形態におけるヒストグラム取得部１５３が行うヒストグラム解析について示す。
図３は、ヒストグラム解析結果をグラフ化して示した例である。
この図の横軸は、映像信号の輝度レベルを示し、右側に行くほど明るいレベルを示す。縦軸は、その輝度レベル範囲に含まれる度数、すなわち画素の個数を示す。例えば、映像信号の輝度レベルが８ビット処理の場合、Ｈ０は輝度レベル０から１５の積算値となり、Ｈ１以降は１６ずつ値の大きい輝度レベルの積算値となる。ここで、具体的に８ビットの映像信号にて説明するとＨ０からＨ１５は、下記の範囲の積算値を示す。
【００１８】
Ｈ０＝１フィールドにおける輝度レベル０から１５の積算値、
Ｈ１＝１フィールドにおける輝度レベル１６から３１の積算値、
Ｈ２＝１フィールドにおける輝度レベル３２から４７の積算値、
Ｈ３＝１フィールドにおける輝度レベル４８から６３の積算値、
Ｈ４＝１フィールドにおける輝度レベル６４から７９の積算値、
Ｈ５＝１フィールドにおける輝度レベル８０から９５の積算値、
Ｈ６＝１フィールドにおける輝度レベル９６から１１１の積算値、
Ｈ７＝１フィールドにおける輝度レベル１１２から１２７の積算値、
Ｈ８＝１フィールドにおける輝度レベル１２８から１４３の積算値、
Ｈ９＝１フィールドにおける輝度レベル１４４から１５９の積算値、
Ｈ１０＝１フィールドにおける輝度レベル１６０から１７５の積算値、
Ｈ１１＝１フィールドにおける輝度レベル１７６から１９１の積算値、
Ｈ１２＝１フィールドにおける輝度レベル１９２から２０７の積算値、
Ｈ１３＝１フィールドにおける輝度レベル２０８から２２３の積算値、
Ｈ１４＝１フィールドにおける輝度レベル２２４から２３９の積算値、
Ｈ１５＝１フィールドにおける輝度レベル２４０から２５５の積算値
【００１９】
また、明るさの判定の閾値を「１６０」に定めると、その値より低い領域（Ｈ０からＨ９まで）は、暗判断レベル３０１と判定し、その値より高い領域（Ｈ１０からＨ１５まで）は、明判断レベル３０２と判定する。
ヒストグラム取得部１５３は、ヒストグラムのＨ０からＨ１５の中で、一番、輝度分布の多い輝度レベルの範囲を選定する。輝度分布の多い輝度レベルの範囲とは、ヒストグラム解析結果における棒グラフの中で一番高い値を示す輝度レベルの範囲である。図３の場合では、輝度ピーク３０３として示されるＨ５の輝度レベルの範囲である。以降、輝度分布の多い輝度レベルの範囲のことを「輝度ピーク」と呼称する。
図４は、図３と異なる画像についてヒストグラム解析を行った結果を示す図である。
この図は、図３と同じ条件でヒストグラム解析を行い、同じ座標軸で定義される。図４の場合の輝度ピークは、輝度ピーク４０１として示されるＨ１３の輝度レベルの範囲である。
【００２０】
続いて、ヒストグラム解析結果に基づいた絞り１２１の制御を示す。
ヒストグラム取得部１５３は、入力された映像信号の明るさ情報に基づいてヒストグラムを生成する。絞り制御部１５５は、ヒストグラム取得部１５３が検出したヒストグラム情報を元に、絞り駆動部１６０に制御信号を出力し、モーター１２２を駆動させ、絞り１２１を駆動する。絞り制御部１５５は、基本的には入力される映像信号のヒストグラムにおいて、輝度ピークが閾値の値より低い領域（Ｈ０からＨ９まで）の暗判断レベル３０１と判定されるときには絞り１２１を絞る方向に動作させ、ヒストグラムにおいて、輝度ピークが閾値の値より高い領域（Ｈ１０からＨ１５まで）の明判断レベル３０２と判定されるときには絞り１２１を開放とする。
【００２１】
ここで、絞り制御部１５５がヒストグラム情報に応じて絞り１２１の開度、すなわち制御目標とする絞り位置を定める絞り位置テーブルを定義する。
図５は、輝度ピークに応じた絞り位置を示す絞り位置テーブルを示す図である。
この図に示された絞り位置テーブルでは、輝度ピークをキーとして、絞り位置が参照できる。輝度ピークは、図３に示したとおりである。絞り位置については、絞り位置が１００の場合に絞り１２１を全開にした状態を示し、光源１１０の光量を１００％空間光変調器１３０へ出力する状態を示す。また、絞り位置が１０の場合には、空間光変調器１３０へ伝わる光量を絞り１２１を全開にした状態の１０％となるように絞り１２１が絞られた状態を示す。
【００２２】
本実施形態で示す例では、輝度ピークに応じて１００段階に設定した絞り位置により絞り制御を行う。すなわち、絞り制御部１５５は、輝度ピークがＨ１０からＨ１５のいずれかであれば、絞り位置を「１００」とする。輝度ピークがＨ９であれば、絞り位置を「９０」とする。同様に、絞り制御部１５５は、輝度が低くなるにしたがって絞り位置の値は小さな値を選択し、最も輝度が低い輝度ピークがＨ０であれば、絞り位置を「１」とする。
ここで、絞り位置「１００」は開放状態を示し、絞り位置「１０」は絞り１２１を絞って、１０％の光量を透過させる状態であり、絞り開度は１０％を示す。
【００２３】
絞り制御部１５５が行う絞り１２１の制御では、図５のテーブルを参照して最初に絞りを絞るか絞らないかの判定を行う。基本的に輝度ピークが明るい方向にあるか、暗い方向にあるかで決定する。本実施形態に示す例では、図３に示したように輝度ピークが明判断レベル３０２にある場合は絞りを開放にし、輝度ピークが暗判断レベル３０１にある場合は絞りを絞る動作を行う。
図３では、輝度ピーク３０３が暗判断レベル３０１に存在するので、絞りを絞った状態である。例えば、図３のヒストグラム特性の場合では、輝度ピーク３０３がＨ５であるので、図５を参照すると絞り開度は５０％になる。
一方、図４のヒストグラム特性の場合では、輝度ピーク４０１がＨ１３であり、明判断レベルにあるため絞りは開放である。
【００２４】
また、図６は、輝度変化の大きな画像の例を示す図である。この図に示されるように、黒を背景とする画面の一部が、符号６０２で示される丸のように輝度の高い領域がある画像を示している。例えば、夜空の月を撮影した場合の画像のモデルである。
図７は、図６に示した図に対しヒストグラム処理をした結果のヒストグラムを示す図である。この図の座標軸は、前述の図３、図４と同じである。グラフの７０１が背景の黒の領域に対応し、グラフの７０２が輝度の高い丸で示された符号６０２の領域に対応する。
【００２５】
絞り制御部１５５は、図５に示したテーブルを参照して絞り開度の選択を行ったと仮定すると、輝度ピークがＨ０であるから絞り開度として「１％」を選択することになる。そのため、輝度が高い部分６０２の部分についても一律に、絞り開放の状態に対して１％まで光量を絞ることになるので、白の領域の輝度が開放の状態に対して１％の光量で示される明るさまで落ちてしまうこととなる。この状態で表示した場合の画像では、見た目のコントラスト感に著しい低下を招くことになる。
【００２６】
図６に例示した画像のように、黒背景に一定面積以上の輝度の高い部分が存在する画像の場合、見た目のコントラスト感を確保するためには、絞りを開放にするのが望ましい。
そこで、図６のような画像を表示する場合においても良好な画像を得る制御手順を示す。先に示した手順に、以下に示す画像の明るさの判定に基づいた処理を追加する。
追加される処理では、絞り制御部１５５は、入力される映像信号に対応する全画素に対して、明るさが予め定められる閾値以上となる画素の占める割合が、予め定められる値より大きな値を示す場合に絞り１２１の開度を高めるように調整する。
【００２７】
以下に、その具体的な方法について説明する。
はじめに、比較的輝度の高い領域を抽出するピーク検出エリアを定義して、明るい領域と判定される領域が占める面積を検出する。絞り制御部１５５は、ピーク検出エリアを判定に用いて、予め定められる閾値より高い輝度で示される範囲を特定し、その閾値に応じた判定範囲に含まれるヒストグラムの値を参照する。このように、ピーク検出エリアの範囲は、予め定められるものとする。
本実施形態では、絞り制御部１５５は、判定に用いる閾値を「２０８」と予め定め、ピーク検出エリアをＨ１３からＨ１５の範囲とする。絞り制御部１５５は、ピーク検出エリアの積算値をピーク検出値として、式（１）を用いて算出する。
【００２８】
【数１】
2011004501.tif 000003
【００２９】
絞り制御部１５５は、式（１）で求めたピーク検出値に基づいて、ピーク検出エリアとして検出された画素が全画素に占める割合を示すピーク割合を、式（２）を用いて算出する。
【００３０】
【数２】
2011004501.tif 000004
【００３１】
ここで、絞り制御部１５５は、式（３）を用いて全画素数を算出する。
【００３２】
【数３】
2011004501.tif 000005
【００３３】
また、絞り制御部１５５は、算出されたピーク割合に応じて式（４）に示す条件が成立した場合に、絞り１２１を開放とする。なお、絞り１２１を開放に切り換える判定に用いるピーク割合の閾値は、予め定めておくものとする。
【００３４】
【数４】
2011004501.tif 000006
【００３５】
図７に示したように、絞り制御部１５５は、ピーク検出エリア７０３として定義された範囲に含まれる信号、すなわち、定めた閾値より高い輝度を示す信号を、輝度の高い信号と判定する。また、絞り制御部１５５は、ピーク割合にしたがって判定することにより、定められた閾値より輝度の高い信号で示される面積が、画像のどの程度の面積を占めるかを判定することができる。そして、その判定の結果から、絞り制御部１５５は、定められた閾値より輝度の高い信号で示される面積が広いと検出した場合には、絞りを開放に切り換える。
【００３６】
以上に示した式（１）から式（４）による判定処理により、明るさが予め定められる閾値以上となる領域の占める割合が、予め定められる値より大きな値を示す場合には、絞り制御部１５５は、絞り１２１の開度を高める制御を行って、絞り１２１を開放させることにより、プロジェクター装置１００は、十分な光量を用いた表示を行うことができる。
【００３７】
なお、本発明の実施形態における絞り制御部１５５は、入力される映像信号の明るさを示す情報に応じて出力する光量を絞り１２１を用いて制限する際に、映像信号に基づいて表示される画像において、予め定められる明るさより明るい領域が、予め定められる広さより広いことを、映像信号の明るさの分布と明るい領域に含まれる画素の数に基づいて判定した場合に、絞り１２１の開度を高める調整を行う。
これにより、映像処理部１５０は、映像信号に基づいて表示される画像において、予め定められる明るさより明るい領域が、予め定められる広さより広い場合に、絞り制御部１５５が、絞り部の開度を開放側に調整することから、入力される映像信号に対応させて、出力される光量の適正値を確保することができる。
【００３８】
また、本発明の実施形態における絞り制御部１５５は、入力される映像信号によって示される領域に対して、明るさが予め定められる閾値以上となる領域の占める割合が、予め定められる値より大きな値を示す場合に絞り１２１の開度を高める調整を行う。
これにより、映像処理部１５０は、入力される映像信号によって示される領域に対して、明るさが予め定められる閾値以上となる領域の占める割合が、予め定められる値より大きな値を示す場合に、絞り制御部１５５が、絞り１２１の開度を高める調整を行うことから、入力される映像信号に対応させて、出力される光量の適正値を確保することができる。
映像処理部１５０では、絞り制御部１５５が、対象となる広さを、領域として検出する処理を行う。
【００３９】
また、本発明の実施形態における絞り制御部１５５は、入力される映像信号によって示される領域に対して、明るさが予め定められる閾値以上となる領域の占める割合が、予め定められる値より大きな値を示す場合に絞り１２１を開放させる調整を行う。
これにより、絞り制御部１５５が、絞り１２１を開放させる調整を行うことから、入力される映像信号に対応させて、出力される光量の適正値を確保することができる。入力画像の輝度差が大きい画像であっても必要な光量を確保できる。
【００４０】
また、本発明の実施形態における絞り制御部１５５は、絞り１２１に対し、映像信号の明るさの分布をヒストグラムで示し、ヒストグラムのピークの値に対応付けられた絞り１２１の開度に調整する。
これにより、絞り制御部１５５が、ヒストグラムのピークの値に対応付けられた絞り１２１の開度に調整を行うことから、入力される映像信号に対応させて、出力される光量の適正値を確保することができる。入力画像をヒストグラム処理によって判定できるので、処理の負荷を軽減できる。
【００４１】
また、本発明の実施形態における絞り制御部１５５は、絞り１２１に対し、ヒストグラムと絞り１２１の開度を対応付ける対応テーブルを設定し、ヒストグラムのピーク値に対応する絞り１２１の開度に調整する。
これにより、絞り制御部１５５が、対応テーブルを参照し、ヒストグラムのピーク値に対応する絞り１２１の開度に調整を行うことから、入力される映像信号に対応させて、出力される光量の適正値を確保することができる。入力画像に応じたヒストグラム処理によって判定結果に応じて、処理の負荷を軽減できる。
【００４２】
また、本発明の実施形態における絞り制御部１５５は、入力される映像信号に対応する全画素に対して、明るさが予め定められる閾値以上となる画素が占める割合が、予め定められる値より大きな値を示す場合に絞り１２１の開度を高める調整を行う。
これにより、絞り制御部１５５が、入力される映像信号に対応する全画素に対して、明るさが予め定められる閾値以上となる画素が占める割合が、予め定められる値より大きな値を示す場合に絞り１２１の開度を高める調整を行うことから、入力される映像信号に対応させて、出力される光量の適正値を確保することができる。
【００４３】
また、本発明の実施形態における絞り制御部１５５は、入力される映像信号に対応する全画素に対して、明るさが予め定められる閾値以上となる画素の数が、予め定められる値より大きな値を示す場合に絞り１２１の開度を高める調整を行う。
これにより、絞り制御部１５５が、入力される映像信号に対応する全画素に対して、明るさが予め定められる閾値以上となる画素の数が、予め定められる値より大きな値を示す場合に絞り１２１の開度を高める調整を行うことから、入力される映像信号に対応させて、出力される光量の適正値を確保することができる。
【００４４】
なお、本発明は、上記の各実施形態に限定されるものではなく、本発明の趣旨を逸脱しない範囲で変更可能である。本発明の映像処理部１５０における、レベル検出の周期は、フィールド周期に同期して行う以外にも、フレーム周期に設定したり、或いは、フレーム周期より長い時間を設定したりすることも可能である。
【００４５】
上述のプロジェクター装置１００は内部に、コンピュータシステムを有している。そして、上述した絞り位置制御の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００４６】
１００  プロジェクター装置
１２１  絞り（絞り部）
１５０  映像処理部（絞り制御回路）
１５５  絞り制御部（制御部）
【図１】
2011004501.tif 000007
【図２】
2011004501.tif 000008
【図３】
2011004501.tif 000009
【図４】
2011004501.tif 000010
【図５】
2011004501.tif 000011
【図６】
2011004501.tif 000012
【図７】
2011004501.tif 000013
【国際調査報告】
2011004501.tif 000014
2011004501.tif 000015
2011004501.tif 000016
2011004501.tif 000017